(57)【要約】【課題】初期配向状態が垂直配向を呈する誘電異方性が負の液晶を有する液晶表示装置において、配向分割に用いる突起部や、スリットに起因するコントラスト低下を防ぐことが可能となる液晶表示装置、及び電子機器を提供する。【解決手段】互いに対向して配置された一対の基板１０、２５間に、初期配向状態が垂直配向を呈する誘電異方性が負の液晶からなる液晶層５０を備えた液晶表示装置１００であって、一対の基板基板１０、２５に設けられた電極９、３１のうちの少なくとも一方の電極には、液晶の配向を規制するための配向規制手段２８、２９が設けられ、一対の基板１０、２５における一方の基板には、配向規制手段２８、２９に対応する位置に遮光膜ＢＭが形成されていることを特徴とする。【選択図】図１
2008102545.tif 000002
【特許請求の範囲】
【請求項１】
互いに対向して配置された一対の基板間に、初期配向状態が垂直配向を呈する誘電異方性が負の液晶からなる液晶層を備えた液晶表示装置であって、
前記一対の基板のうちの少なくとも一方の基板には、前記液晶の配向を規制するための配向規制手段が設けられ、
前記一対の基板における少なくとも一方の基板には、前記配向規制手段に対応する位置に遮光膜が形成されていることを特徴とする液晶表示装置。
【請求項２】
前記配向規制手段は、電極のスリット部、突起部、或いはその両方からなることを特徴とする請求項１に記載の液晶表示装置。
【請求項３】
前記一対の基板のうち、一方の基板にのみ前記遮光膜が形成されていることを特徴とする請求項１又は請求項２に記載の液晶表示装置。
【請求項４】
前記一対の基板のうちの少なくとも一方の基板に設けられた前記配向制御手段に対応する前記遮光膜が前記配向規制手段と同一基板に形成されていることを特徴とする請求項１又は請求項２に記載の液晶表示装置。
【請求項５】
前記一対の基板のうちの光が前記液晶層に入射する側の基板に形成されている前記遮光膜は、光反射性を有する金属からなることを特徴とする請求項１から請求項４のいずれかに記載の液晶表示装置。
【請求項６】
請求項１から請求項５のいずれかに記載の液晶表示装置を備えることを特徴とする電子機器。
【発明の詳細な説明】
【技術分野】
【０００１】
本発明は、液晶表示装置、及び電子機器に関する。
【背景技術】
【０００２】
従来、液晶表示装置において、最も広く使用されている方式として、ノーマリーホワイトモードのＴＮ（Twisted Nematic）モードが知られている。最近では、ＴＮモードの液晶表示装置は格段に進歩しつつあり、その画質はＣＲＴと同等までに向上している。しかしながら、ＴＮモードの液晶表示装置は視野角が狭いという大きな欠点を有している。この欠点を解決したのが、誘電異方性が負の液晶を対向する一対の基板間に垂直に配向させたＶＡ（Vertical Alignment）モードであり、現在では液晶テレビ等で製品化がなされている。このようなＶＡモードの液晶表示装置は、広視野角、高コントラストの特徴を有している。
【０００３】
そして、ＶＡモードの液晶表示装置においては、液晶分子の配向方向を画素内で複数の異なる方向に分割する構成を採用することによって広視野角特性を実現できることが知られている。ここで、配向分割を行うための具体的な構成としては、ＩＴＯ等の透明電極にスリットを設けた構成と、透明電極の上方に突起部を設けた構成が挙げられ、このようなスリット又は突起部を設けることによって電圧印加時に垂直配向液晶が倒れる方向を制御する技術が開示されている（例えば、特許文献１参照）。
【０００４】
【特許文献１】特開平１１−２４２２２５号公報
【発明の開示】
【発明が解決しようとする課題】
【０００５】
ところで、配向分割に用いる突起部上の液晶材料に着目すると、突起部上の液晶分子は基板に対して完全に垂直ではなく、突起部の傾斜に伴ってある程度傾きを持っている。この液晶分子の傾きにより複屈折が生じ、光が漏れ、コントラストの低下を引き起こしてしまうという問題がある。
また、透明電極に設けられたスリットの界面においても、スリット界面の等電位線が密になるフリンジ効果が生じてしまい、特に駆動のＯＦＦ電位が０Ｖ以上の場合、弱い電界によって液晶分子がわずかに傾いてしまい、コントラストの低下を引き起こしてしまうという問題がある。
【０００６】
本発明は、上述の課題に鑑み創案されたもので、初期配向状態が垂直配向を呈する誘電異方性が負の液晶を有する液晶表示装置において、配向分割に用いる突起部や、スリットに起因するコントラスト低下を防ぐことが可能となる液晶表示装置、及び電子機器を提供することを目的とする。
【課題を解決するための手段】
【０００７】
上記の目的を達成するために、本発明は以下の構成を採用した。
本発明の液晶表示装置は、互いに対向して配置された一対の基板間に、初期配向状態が垂直配向を呈する誘電異方性が負の液晶からなる液晶層を備えた液晶表示装置であって、前記一対の基板のうちの少なくとも一方の基板には、前記液晶の配向を規制するための配向規制手段が設けられ、前記一対の基板における少なくとも一方の基板には、前記配向規制手段に対応する位置に遮光膜が形成されていることを特徴としている。
ここで、配向規制手段の具体的な構造としては、スリット部、突起部、或いはその両方からなることが好ましい。
【０００８】
本発明の液晶表示装置においては、配向規制手段を有しているので、特に垂直配向モードの液晶における電界印加時の配向方向を制御するための好ましい構成となる。垂直配向モードを採用した場合には一般にネガ型液晶を用いるが、初期配向状態で液晶分子が基板面に対して垂直に立っているものを、電界印加により倒すわけであるから、何も工夫をしなければ液晶分子の倒れる方向を制御できず、配向の乱れが生じて、表示特性を落としてしまう。そのため、垂直配向モードの採用にあたっては、電界印加時の液晶分子の配向方向の制御が重要な要素となる。
そこで、本発明の液晶表示装置においては、液晶層の挟持面に配向規制手段を形成したため、液晶分子の倒れる方向を規制ないし制御することが可能となり、配向の乱れが生じ難く、残像やしみ状のむら等の表示不良が抑えられ、更には広視野角化を実現できる。
【０００９】
更に、本発明の液晶表示装置においては、単に配向規制手段を設けたのではなく、当該配向規制手段に対応する位置に遮光膜が形成された構成を備えているので、配向規制手段の近傍で液晶分子の傾きにより複屈折が生じた場合であっても、遮光膜が光の漏れを抑制し、コントラストの低下を防止する。従って、高コントラストの表示が可能となる。
そして、特に配向規制手段の中でも突起部に対応した位置に遮光膜を形成することが好ましい。突起部の近傍は、スリット部の近傍よりも液晶分子の傾きが大きく、複屈折が大きく作用してしまうため、光の漏れも多くなる。従って、突起部に対応する位置に遮光膜を形成するだけであっても、光の漏れの効率的に抑制できる。
【００１０】
また、前記液晶表示装置において、前記一対の基板のうち、一方の基板にのみ前記遮光膜が形成されていることを特徴としている。
このようにすれば、前記液晶表示装置と同様の効果が得られると共に、一対の基板のそれぞれに遮光膜を設けた構成に比べ、低コストな液晶表示装置を提供できる。
【００１１】
また、前記液晶表示装置において、前記一対の基板のうちの少なくとも一方の基板に設けられた前記配向制御手段に対応する前記遮光膜が同一基板に形成されていることを特徴としている。
このようにすれば、前記液晶表示装置と同様の効果が得られると共に、遮光膜と配向規制手段の位置を高精度に対応させることができる。
同一基板上に遮光膜と配向規制手段を形成する場合においては、両者の位置が対応するように、フォトリソグラフィ技術等によって高精度に形成される。これに対して、一対の基板に遮光膜と配向規制手段をそれぞれ形成する場合においては、シール材を一方の基板に形成した後に、当該シール材を介して一対の基板を互いに貼り合わせる必要がある。ここで、遮光膜と配向規制手段の位置を高精度に合わせる必要があり、位置合わせが困難である。
従って、同一基板上に遮光膜と配向規制手段を形成することにより、基板の貼り合わせの誤差を無視できると共に、遮光膜と配向規制手段の位置を高精度に対応させることができる。
【００１２】
また、前記液晶表示装置において、前記一対の基板のうちの光が前記液晶層に入射する側の基板に形成されている前記遮光膜は、光反射性を有する金属からなることを特徴としている。
このようにすれば、遮光膜は配向規制手段の近傍において漏れた光を遮る機能だけでなく、光を反射させる機能を兼ね備えるので、遮光膜に入射した光は、そのまま反射され、バックライトに戻り、出射光として再利用される。即ち、光の利用効率を向上させることができ、輝度の向上を達成できる。
【００１３】
また、本発明の電子機器は、先に記載の液晶表示装置を備えたことを特徴としている。
ここで、電子機器としては、例えば、携帯電話機、移動体情報端末、時計、ワープロ、パソコンなどの情報処理装置などを例示することができる。
従って、本発明によれば、先に記載の液晶表示装置を用いた表示部を備えているので、視野角が広く、表示特性が優れた表示部を備えた電子機器を提供することが可能となる。
【発明を実施するための最良の形態】
【００１４】
（第１実施形態）
以下、本発明に係る第１実施形態について図面を参照しつつ説明する。なお、各図において、各層や各部材を図面上で認識可能な程度の大きさとするため、各層や各部材毎に縮尺を異ならせてある。
【００１５】
以下に示す本実施形態の液晶表示装置は、スイッチング素子として薄膜ダイオード（Thin Film Diode、以下、ＴＦＤと略記する）を用いたアクティブマトリクス型の液晶表示装置の例であり、特に透過表示を可能にした透過型の液晶表示装置である。
図１は、本実施形態の液晶表示装置１００についての等価回路を示している。この液晶表示装置１００は、走査信号駆動回路１１０及びデータ信号駆動回路１２０を含んでいる。液晶表示装置１００には、信号線、即ち、複数の走査線１３と、該走査線１３と交差する複数のデータ線９とが設けられ、走査線１３は走査信号駆動回路１１０により、データ線９はデータ信号駆動回路１２０により駆動される。そして、各画素領域１５０において、走査線１３とデータ線９との間にＴＦＤ素子４０と液晶表示要素１６０（液晶層）とが直列に接続されている。なお、図１では、ＴＦＤ素子４０が走査線１３側に接続され、液晶表示要素１６０がデータ線９側に接続されているが、これとは逆にＴＦＤ素子４０をデータ線９側に、液晶表示要素１６０を走査線１３側に設ける構成としてもよい。
【００１６】
次に、図２に基づいて、本実施形態の液晶表示装置１００に具備された電極の平面構造（画素構造）について説明する。図２に示すように、本実施形態の液晶表示装置１００では、走査線１３にＴＦＤ素子４０を介して接続された平面視矩形状の画素電極３１がマトリクス状に設けられており、該画素電極３１と紙面垂直方向に対向して共通電極９が短冊状（ストライプ状）に設けられている。共通電極９はデータ線からなり走査線１３と交差する形のストライプ形状を有している。本実施形態において、各画素電極３１が形成された個々の領域が１つのドット領域であり、マトリクス状に配置された各ドット領域にＴＦＤ素子４０が具備され、該ドット領域毎に表示が可能な構造になっている。
【００１７】
ここで、ＴＦＤ素子４０は走査線１３と画素電極３１とを接続するスイッチング素子であって、ＴＦＤ素子４０は、Ｔａを主成分とする第１導電膜と、第１導電膜の表面に形成され、Ｔａ2Ｏ3を主成分とする絶縁膜と、絶縁膜の表面に形成され、Ｃｒを主成分とする第２導電膜とを含むＭＩＭ構造を具備して構成されている。そして、ＴＦＤ素子４０の第１導電膜が走査線１３に接続され、第２導電膜が画素電極３１に接続されている。
【００１８】
次に、図３に基づいて本実施形態の液晶表示装置１００の要部構成について説明する。
図３（ａ）は、液晶表示装置１００の画素構成、特に画素電極３１の平面構成を示す模式図、図３（ｂ）は、図３（ａ）のＡ−Ａ’断面を示す模式図である。
なお、図３（ｂ）は、着色層２２の代表として赤色着色層２２Ｒの断面を示す図であり、他の着色層２２Ｂ、２２Ｇの断面構造は、着色層の色が異なる以外は、同様の構成を有している。
【００１９】
本実施の形態の液晶表示装置１００は、図２に示したようにデータ線９及び走査線１３等にて囲まれた領域の内側に画素電極３１を備えてなるドット領域を有している。このドット領域内には、図３（ａ）に示すように一つのドット領域に対応して３原色のうちの一つの着色層が配設され、３つのドット領域（Ｄ１、Ｄ２、Ｄ３）で各着色層２２Ｂ（青色）、２２Ｇ（緑色）、２２Ｒ（赤色）を含む画素を形成している。そして、各ドット領域（Ｄ１、Ｄ２、Ｄ３）には、本発明の配向規制手段に相当する突起部２８とスリット部２９が設けられている。また、突起部２８とスリット部２９は、中心線ＣＬを軸として左右対称のパターンを有し、互いに隣接して配置している。ここで、突起部２８及びスリット部２９が延在する方向と、中心線ＣＬとがなす角度が４５°となっている。このようにすることによって、液晶層５０に電圧が印加された際に液晶分子が倒れる方向を偏光板の透過軸から４５°に制御することが可能となる。
なお、図３（ａ）には、隣接した３つのドット領域が示されているが、各ドット領域には、上記ＴＦＤ素子４０がそれぞれ設けられており、ドット領域毎に液晶表示要素１６０に電圧を印加できるようになっている。
【００２０】
一方、図３（ｂ）に示すように、本実施形態の液晶表示装置１００は、上基板２５とこれに対向配置された下基板１０との間に初期配向状態が垂直配向をとる液晶、即ち、誘電異方性が負の液晶材料からなる液晶層５０が挟持されている。
下基板１０は、石英、ガラス等の透光性材料からなる基板本体１０Ａを主体として、各種層膜が積層形成された構成を有している。
当該基板本体１０Ａにおける上基板２５と対向する側の面には、カラーフィルタ２２（図３（ｂ）では赤色着色層２２Ｒ）が設けられている。
また、基板本体１０Ａの同一表面上には、カラーフィルタ２２に隣接して、所定の平面パターンからなるブラックマトリクス（遮光膜）ＢＭが形成されている。なお、ブラックマトリクスＢＭは、図３（ａ）に示すように、着色層２２Ｒの周縁を囲うように設けられ、当該ブラックマトリクスＢＭにより各ドット領域Ｄ１、Ｄ２、Ｄ３の境界が形成されている。
また、カラーフィルタ２２及びブラックマトリクスＢＭの上方には、インジウム錫酸化物（Indium Tin Oxide、以下、ＩＴＯと略記する）等の透明導電膜からなるマトリクス状の画素電極３１が設けられていると共に、当該画素電極３１には配向規制手段としてのスリット部２９が設けられている。なお、画素電極３１は、図２に示したように、ＴＦＤ素子４０を介して走査線１３に接続されており、走査線１３に供給された電圧に応じて液晶層５０に電圧を印加するようになっている。また、画素電極３１の最上面とスリット部２９が設けられた段差部分を覆うように配向膜（不図示）が設けられている。
【００２１】
ここで、配向膜は、ポリイミド等の材料からなり、液晶分子を膜面に対して垂直に配向させる垂直配向膜として機能するものであって、ラビングなどの配向処理は施されていない。このように、ラビングを施さずに分割配向させる垂直配向液晶（負の誘電異方性を持つ液晶分子）を用いた液晶表示装置では電極開口や電極上誘電体等を画素内で部分的に設けることで画素内の電界を好適に歪ませて液晶分子が倒れる方向を制御する必要がある。この液晶配向制御が不十分であった場合には、液晶分子が面内において、ある程度の大きさのドメインを保ちつつランダムな方向に倒れてしまう。このような状態では表示領域の面内の一部で視野角特性が異なる領域が発生してしまい、結果としてざらざらとしたムラが見える不良となる。そこで、液晶層５０の液晶分子を配向規制し、つまり初期状態において垂直配向にある液晶分子について電極間に電圧を印加した際の傾倒方向を規制させるために配向規制手段としてのスリット部２９や、後述する突起部２８が設けられている。
【００２２】
次に、上基板２５においては、石英、ガラス等の透光性材料からなる基板本体２５Ａを主体として、各種層膜が積層形成された構成を有している。当該基板本体２５Ａにおける下基板１０と対向する側の面には、ＩＴＯ等の透明導電膜からなる共通電極９と、配向規制手段として機能する突起部２８と、ポリイミド等からなる下基板１０と同様の垂直配向膜（不図示）と、が形成されている。共通電極９は、図３（ａ）において、紙面上下方向に延びる形のストライプ状に形成されており、当該紙面におけるドット領域（Ｄ１、Ｄ２、Ｄ３）に並んで形成されたドット領域の各々に共通の電極として構成されている。突起部２８はアクリル樹脂等の有機膜からなる樹脂材料によって形成されており、上基板２５の表面から基板面の鉛直方向において液晶層５０に突出するように形成されている。
【００２３】
次に、下基板１０の外面側（液晶層５０を挟持する面とは異なる側）には偏光板１９が、上基板２５の外面側にも偏光板１７が形成されており、当該偏光板１７、１９は、所定方向の偏光軸を備えた直線偏光のみを透過させる構成となっており、クロスニコルに設置されている。なお、下基板１０に形成された偏光板１９の外側には透過表示用の光源たるバックライト１５が設けられている。
【００２４】
次に、本発明の液晶表示装置１００の特徴点について説明する。
図３（ｂ）に示すように、ブラックマトリクスＢＭは、上基板２５から液晶層５０に向けて突出した突起部２８の位置に対応（図中符号Ｘ）して設けられていると共に、画素電極３１に設けられたスリット部２９に対応する位置に設けられている。即ち、図３（ａ）に示すように平面視すると、突起部２８とスリット部２９の位置がブラックマトリクスＢＭの位置と一致して重なっている。また、ブラックマトリクスＢＭは、アルミニウム、銀等の光反射性が高い金属材料から構成されており、単に光を遮光する機能だけでなく、バックライト１５から入射した光を下基板１０側に反射させて出射するようになっている。また、ブラックマトリクスＢＭの幅は、突起部２８、スリット部２９の幅よりも大きいか、又は同じであることが好ましい。
【００２５】
上述したように、液晶表示装置１００においては、配向規制手段として突起部２８、スリット部２９を有しているので、特に垂直配向モードの液晶における電界印加時の配向方向を制御するための好ましい構成となる。垂直配向モードを採用した場合には一般にネガ型液晶を用いるが、初期配向状態で液晶分子が基板面に対して垂直に立っているものを、電界印加により倒すわけであるから、何も工夫をしなければ液晶分子の倒れる方向を制御できず、配向の乱れが生じて、表示特性を落としてしまう。そのため、垂直配向モードの採用にあたっては、電界印加時の液晶分子の配向方向の制御が重要な要素となる。
そこで、液晶表示装置１００においては、液晶層の挟持面に突起部２８、スリット部２９を形成したため、液晶分子の倒れる方向を規制ないし制御することが可能となり、配向の乱れが生じ難く、残像やしみ状のむら等の表示不良が抑えられ、更には広視野角化を実現できる。
【００２６】
また、上述の液晶表示装置１００においては、単に突起部２８、スリット部２９を設けたのではなく、当該突起部２８及びスリット部２９に対応する位置にブラックマトリクスＢＭが形成された構成を備えているので、突起部２８の近傍で液晶分子の傾きにより複屈折が生じた場合であっても、ブラックマトリクスＢＭが光の漏れを抑制し、コントラストの低下を防止する。また、スリット部２９の近傍にフリンジ効果が生じることにより、液晶分子がわずかに傾いた場合であっても、遮光膜が光の漏れを抑制し、コントラストの低下を防止する。従って、高コントラストの表示が可能となる。
また、ブラックマトリクスＢＭの幅は、突起部２８及びスリット部２９の幅よりも大きくすることで、光の漏れを更に抑制することができるので、コントラストを高める効果を更に促進させることができる。
【００２７】
また、上述の液晶表示装置１００においては、光反射性を有する金属によってブラックマトリクスＢＭが形成されているので、当該ブラックマトリクスＢＭは、光を遮る機能だけでなく、光を反射させる機能を兼ね備えることとなる。従って、バックライト１５側からブラックマトリクスＢＭに入射した光は、そのまま反射され、バックライト１５に戻り、出射光として再利用される。よって、遮光膜を設けたことによる明るさの低下は殆どない。即ち、ブラックマトリクスＢＭでの反射光を上基板２５側に出射させるので、光の利用効率を図ることができ、輝度の向上を達成できる。
【００２８】
なお、本実施形態においては、突起部２８とスリット２９のそれぞれに対応させてブラックマトリクスＢＭを設けた構成を採用したが、突起部２８のみに対応させてブラックマトリクスＢＭを設けた構成を採用してもよい。
これは、配向規制手段の中でも、特に突起部２９の近傍は、スリット部２９の近傍よりも液晶分子の傾きが大きく、複屈折が大きく作用してしまうため、光の漏れも多くなるという特性がある。従って、突起部２８のみに対応する位置にブラックマトリクスＢＭを形成するだけでも、上記に記載した効果を所望に得ることができる。
【００２９】
また、本実施形態においては、カラーフィルタ２２を下基板１０側に設けた構成を採用したが、これを限定するものではない。ブラックマトリクスＢＭが突起部２８とスリット部２９に対応して設けられていれば、上基板２５側にカラーフィルタを形成した構成を採用してもよい。
【００３０】
（第２実施形態）
次に、本発明に係る第２実施形態について図面を参照しつつ説明する。なお、各図において、各層や各部材を図面上で認識可能な程度の大きさとするため、各層や各部材毎に縮尺を異ならせてある。また、上記の第１実施形態と同一構成には同一符号を付して、説明を簡略化する。
【００３１】
本実施形態と第１実施形態の相違点について説明する。第１実施形態においては、下基板１０にブラックマトリクスＢＭを設けた構成としたが、これに対し、本実施形態は上基板２５にもブラックマトリクスを設けた構成としている。また、本実施形態においては、上基板２５に樹脂膜２６を設けた構成となっている。
【００３２】
次に、図４を参照して、本実施形態における液晶表示装置１００’の画素構成について説明する。図４（ａ）は、画素電極３１の平面構成を示す模式図、図４（ｂ）は、図４（ａ）における断面構造の要部を示す模式図である。
【００３３】
図４（ａ）は、図３（ａ）と同一図であるため、説明を省略する。
図４（ｂ）に示すように、下基板１０には、カラーフィルタ２２と、ブラックマトリクスＢＭと、画素電極３１と、スリット部２９と、偏光板１９が設けられており、更に、第１実施形態と異なる構成としてブラックマトリクスＢＭがスリット部２９のみに対応して形成されている。
上基板２５には、共通電極９、突起部２８と、偏光板１７が設けられており、更に、第１実施形態と異なる構成としてブラックマトリクスＢＭ’が突起部２８のみに対応して基板本体２５Ａ上に形成され、当該ブラックマトリクスＢＭ’を覆うように樹脂膜２６が形成されている。そして、樹脂膜２６は例えばアクリル樹脂等の有機膜からなり、共通電極９と基板本体２５Ａとの間に設けられている。
ここで、ブラックマトリクスＢＭ’と突起部２８は、高精度に位置決めされた状態で設けられており、フォトリソグラフィ技術等の公知のパターニング方法により形成されている。
また、ブラックマトリクスＢＭ’は、樹脂材料等から構成されており、光反射性を備えていない材料によって形成されている。このように構成することによって、基板２５側から入射する外光の反射を防ぐことができるので、より表示品位を高めた表示が可能となる。
【００３４】
上述したように、液晶表示装置１００’においては、前述の第１実施形態と同様に、液晶層の挟持面に突起部２８、スリット部２９を形成したため、液晶分子が初期状態で垂直配向を呈した上で、液晶分子の倒れる方向を規制ないし制御することが可能となり、配向の乱れが生じ難く、残像やしみ状のむら等の表示不良が抑えられ、更には広視野角化を実現できる。更に、突起部２８、スリット部２９に対応する位置にブラックマトリクスＢＭ、ＢＭ’を設けているので、液晶分子の傾きやフリンジ効果に起因する光の漏れを抑制し、高コントラストの表示を達成できる。
また、本実施形態においては、ブラックマトリクスＢＭ’と突起部２８が、同一基板（上基板２５）上に形成されているので、シール材を介して上基板２５と下基板１０を貼り合せる工程を高精度に行う必要がないという効果が得られる。
【００３５】
詳述すると、ブラックマトリクスＢＭ’と突起部２８は、上基板２５上において、両者の位置が対応するように、フォトリソグラフィ技術等によって高精度に形成される。これに対して、一対の上下基板１０、２５にブラックマトリクスＢＭと突起部２８をそれぞれ形成する場合においては、シール材を一方の基板に形成した後に、一対の基板１０、２５を互いに貼り合わせる必要がある。ここで、ブラックマトリクスＢＭと突起部２８の位置を高精度に合わせる必要があり、位置合わせが困難である。
従って、本実施形態のように、同一基板上にブラックマトリクスＢＭと突起部２８を形成することにより、上下基板１０、２５の貼り合わせの誤差を無視でき、ブラックマトリクスＢＭ’と突起部２８の位置を高精度に対応させることができる。
【００３６】
（電子機器）
次に、本発明の上記実施形態の液晶表示装置を備えた電子機器の具体例について説明する。
図５は、携帯電話の一例を示した斜視図である。図５において、符号１０００は携帯電話本体を示し、符号１００１は上記液晶表示装置を用いた表示部を示している。このような携帯電話等の電子機器の表示部に、上記実施形態の液晶表示装置を用いた場合、コントラストが高くて広視野角が達成され、表示特性が優れる液晶表示部を備えた電子機器を実現することができる。
【００３７】
なお、本発明の技術範囲は上記実施形態に限定されるものではなく、本発明の趣旨を逸脱しない範囲において種々の変更を加えることが可能である。例えば上記実施形態ではＴＦＤをスイッチング素子としたアクティブマトリクス型液晶表示装置に本発明を適用した例を示したが、スイッチング素子としてＴＦＴを用いたアクティブマトリクス型液晶表示装置の他、パッシブマトリクス型液晶表示装置などに本発明を適用することも可能である。
【図面の簡単な説明】
【００３８】
【図１】本発明の第１実施形態における液晶表示装置の等価回路図。
【図２】同、液晶表示装置のドットの構造を示す平面図。
【図３】同、液晶表示装置の要部を示す平面模式図及び断面模式図。
【図４】第２実施形態の液晶表示装置の要部を示す平面模式図及び断面模式図。
【図５】本発明の電子機器の一例を示す斜視図。
【符号の説明】
【００３９】
９…共通電極（電極）、１０…下基板（基板）、２５…上基板（基板）、２８…突起部（配向規制手段）、２９…スリット部（配向規制手段）、３１…画素電極（電極）、５０…液晶層、１００，１００’…液晶表示装置、１０００…携帯電話本体（電子機器）、ＢＭ，ＢＭ’…ブラックマトリクス（遮光膜）。
【図１】
2008102545.tif 000003
【図２】
2008102545.tif 000004
【図３】
2008102545.tif 000005
【図４】
2008102545.tif 000006
【図５】
2008102545.tif 000007
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
互いに対向して配置された一対の基板間に、垂直配向モードの液晶からなる液晶層を備えた液晶表示装置であって、
前記一対の基板のうちの少なくとも一方の基板には、前記液晶の配向を規制するための配向規制手段が設けられ、
前記一方の基板には、前記配向規制手段に重なる位置に遮光膜が形成されており、
前記遮光膜の幅は前記配向規制手段の幅よりも広いことを特徴とする液晶表示装置。
【請求項２】
前記配向規制手段は、電極のスリット部、突起部、或いはその両方からなることを特徴とする請求項１に記載の液晶表示装置。
【請求項３】
請求項１または請求項２に記載の液晶表示装置を備えることを特徴とする電子機器。    
【手続補正２】
【補正対象書類名】明細書
【補正対象項目名】０００７
【補正方法】変更
【補正の内容】
【０００７】
上記の目的を達成するために、本発明は以下の構成を採用した。
本発明の液晶表示装置は、互いに対向して配置された一対の基板間に、垂直配向モードの液晶からなる液晶層を備えた液晶表示装置であって、前記一対の基板のうちの少なくとも一方の基板には、前記液晶の配向を規制するための配向規制手段が設けられ、前記一方の基板には、前記配向規制手段に重なる位置に遮光膜が形成されており、前記遮光膜の幅は前記配向規制手段の幅よりも広いことを特徴としている。
ここで、配向規制手段の具体的な構造としては、スリット部、突起部、或いはその両方からなることが好ましい。
【手続補正３】
【補正対象書類名】明細書
【補正対象項目名】００１２
【補正方法】変更
【補正の内容】
【００１２】
また、本発明の液晶表示装置は、一方の基板に設けた配向規制手段に重なる位置に遮光膜が形成されており、前記遮光膜の幅は前記配向規制手段の幅よりも広いことを特徴としている。このようにすれば、配向規制手段の直上だけでなく、配向規制手段の近傍における配向の乱れに起因するコントラストの低下を抑制し、高コントラストの表示が可能となる。